(57)【要約】【課題】相手側コネクタとの嵌合状態を解除する方向の予期せぬ外力がコネクタに作用したとき、その嵌合状態を解除しにくくするとともに、意図的に相手側コネクタとの嵌合状態を解除するときには、コネクタを相手側コネクタから小さな操作力で離脱させるようにする。【解決手段】相手側コネクタに嵌合可能なコネクタ本体と、相手側コネクタとの嵌合状態を解除するロック解除部材２０とを備えるコネクタであって、ロック解除部材２０は、相手側コネクタの弾性ロック部とコネクタ本体の引掛部との引っ掛かり状態を解除するための解除部２０１と、コネクタ本体をスライドするスライド部２０２とを有する。コネクタ本体は、スライド部２０２をスライド可能に支持する支持部１１４を有する。解除部２０１が弾性ロック部に向かって変位するようにスライド部２０２を案内して、弾性ロック部と引掛部との引っ掛かり状態を解除させるガイド面１１４Ａを、支持部１１４に形成した。【選択図】図５
2019009024.tif 000002
【特許請求の範囲】
【請求項１】
弾性ロック部を有する相手側コネクタに嵌合可能なコネクタ本体と、
前記コネクタ本体にコネクタ嵌合方向及びコネクタ離脱方向に沿って移動可能に装着され、前記相手側コネクタとの嵌合状態を解除するロック解除部材と、を備え、
前記コネクタ本体は、
前記弾性ロック部に引っ掛かり、前記相手側コネクタとの嵌合状態を維持する引掛部を有する
コネクタであって、
前記ロック解除部材は、
前記弾性ロック部と前記引掛部との引っ掛かり状態を解除するための解除部と、
前記コネクタ本体をスライドするスライド部と、を有し、
前記コネクタ本体は、
前記ロック解除部材が前記コネクタ離脱方向へ引かれたとき、前記スライド部をスライド可能に支持する支持部を有し、
前記コネクタ本体の前記コネクタ嵌合方向前側から後側へ向かうにしたがって前記弾性ロック部に近づくように傾斜し、前記解除部が前記弾性ロック部に向かって変位するように前記スライド部を案内して、前記弾性ロック部と前記引掛部との引っ掛かり状態を解除させるガイド面が、前記支持部と前記スライド部との少なくとも一方に形成されている
ことを特徴とするコネクタ。
【請求項２】
前記支持部は、前記解除部に対して前記コネクタ嵌合方向後側に位置し、
前記ロック解除部材は、前記支持部を前記弾性ロック部に向かって逃がす孔を有し、
前記スライド部は、前記コネクタ嵌合方向において前記解除部と前記孔との間に位置する
ことを特徴とする請求項１に記載のコネクタ。
【請求項３】
前記コネクタ本体は、
ハウジングと、
前記ハウジングの少なくとも一部を覆うシェルと、を有し、
前記シェルは、前記弾性ロック部を受け容れる開口部を有し、
前記シェルの前記開口部の周縁部が前記引掛部である
ことを特徴とする請求項１又は２に記載のコネクタ。
【請求項４】
前記シェルは、
前記開口部に対して前記コネクタ嵌合方向後側から前側へ延び、前記ロック解除部材が前記コネクタ離脱方向へ引かれたとき、前記解除部に押されて弾性変形し、前記弾性ロック部を前記シェルから押し出す片持ち梁状のばね片を有する
ことを特徴とする請求項３に記載のコネクタ。
【請求項５】
前記コネクタ本体は、
前記ロック解除部材を前記ハウジングに前記コネクタ嵌合方向及び前記コネクタ離脱方向に沿って移動可能に保持するロック解除部材保持部を有する
ことを特徴とする請求項３又は４に記載のコネクタ。
【請求項６】
前記コネクタ本体は、
前記支持部に対して前記コネクタ嵌合方向後側に位置し、前記コネクタ嵌合方向及び前記コネクタ離脱方向に沿った前記ロック解除部材の移動を規制する規制部を有し、
前記ロック解除部材は、
前記スライド部に対して前記コネクタ嵌合方向後側に位置し、前記規制部を受け容れる規制部受容部を有する
ことを特徴とする請求項１〜５のいずれか１項に記載のコネクタ。
【請求項７】
前記ガイド面は平面である
ことを特徴とする請求項１〜６のいずれか１項に記載のコネクタ。
【発明の詳細な説明】
【技術分野】
【０００１】
この発明はコネクタに関する。
【背景技術】
【０００２】
従来、図１３〜図１５に示す改良されたラッチ機構９０６を有する電気コネクタアッセンブリ９００が知られている（下記特許文献１参照）。
【０００３】
電気コネクタアッセンブリ９００は、ハウジング９０１、印刷回路基板９０３、ラッチ機構９０６、シールディング部材９０５等を有する。ラッチ機構９０６は、レセプタクルコネクタ２００に対する電気コネクタアッセンブリ９００の嵌合方向Ｄ及びその離脱方向Ｄ´に沿って移動可能である。ラッチ機構９０６は、上方へ曲がったアクチュエータ９６３を有する。
【０００４】
電気コネクタアッセンブリ９００をレセプタクルコネクタ２００に嵌合すると、レセプタクルコネクタ２００のラッチングタブ２０１が、ハウジング９０１の固定用スロット１２１２に入り込み、ラッチングタブ２０１の自由端の一部と固定用スロット１２１２の内面１２１２Ａとが電気コネクタアッセンブリ９００の嵌合方向Ｄにおいて対向する。
【０００５】
したがって、電気コネクタアッセンブリ９００の離脱方向Ｄ´の外力が電気コネクタアッセンブリ９００に作用しても、固定用スロット１２１２の内面１２１２Ａがラッチングタブ２０１の先端に引っ掛かるので、電気コネクタアッセンブリ９００はセプタクルコネクタ２００から抜けず、電気コネクタアッセンブリ９００とレセプタクルコネクタ２００との嵌合状態が一応維持される構成となっている。
【０００６】
電気コネクタアッセンブリ９００をレセプタクルコネクタ２００から引き抜くには、ラッチ機構９０６のプルテープ９６１を、電気コネクタアッセンブリ９００の離脱方向Ｄ´へ引けばよい。ラッチ機構９０６のプルテープ９６１を電気コネクタアッセンブリ９００の離脱方向Ｄ´へ引くと、アクチュエータ９６３がラッチングタブ２０１の先端を押し上げ、固定用スロット１２１２の内面１２１２Ａとラッチングタブ２０１の先端との引っ掛かり状態が解除され、電気コネクタアッセンブリ９００がレセプタクルコネクタ２００から抜ける。
【先行技術文献】
【特許文献】
【０００７】
【特許文献１】米国特許8,905,777
【発明の概要】
【発明が解決しようとする課題】
【０００８】
上述の電気コネクタアッセンブリ９００には次のような問題がある。
【０００９】
ラッチ機構９０６はアクチュエータ９６３を有するので、ラッチングタブ２０１の先端が部分的に固定用スロット１２１２の内面１２１２Ａに引っ掛かるようになっており、固定用スロット１２１２の内面１２１２Ａとラッチングタブ２０１の先端とが引っ掛かる範囲（若しくは接触面積）は狭い。したがって、電気コネクタアッセンブリ９００の離脱方向Ｄ´の予期せぬ外力が電気コネクタアッセンブリ９００に作用したとき、固定用スロット１２１２の内面とラッチングタブ９２１の先端との引っ掛かり状態が解除され、電気コネクタアッセンブリ９００がレセプタクルコネクタ２００から容易に抜けるおそれがある。
【００１０】
この問題を解消する方法として、ラッチングタブ２０１の先端を部分的に固定用スロット１２１２の内面１２１２Ａに引っ掛ける代わりに、電気コネクタアッセンブリ９００の離脱方向Ｄ´の外力をアクチュエータ９６３で受けるようにするべく、ラッチングタブ２０１の先端をアクチュエータ９６３に引っ掛けるとともに、アクチュエータ９６３の傾斜面と電気コネクタアッセンブリ９００の嵌合方向Ｄとのなす角度を大きくする方法が考えられる。
【００１１】
この方法によれば、固定用スロット１２１２の内面１２１２Ａとアクチュエータ９６３の傾斜面とが引っ掛かる範囲が、固定用スロット１２１２の内面１２１２Ａとラッチングタブ２０１の先端とが引っ掛かる範囲より広くなるとともに、アクチュエータ９６３の傾斜面と電気コネクタアッセンブリ９００の嵌合方向Ｄとのなす角度が大きいので、電気コネクタアッセンブリ９００の離脱方向Ｄ´の予期せぬ外力が電気コネクタアッセンブリ９００に作用しても、固定用スロット１２１２の内面１２１２Ａとアクチュエータ９６３の傾斜面との引っ掛かり状態が解除されにくくなると考えられる。
【００１２】
しかし、この方法には、意図的に電気コネクタアッセンブリ９００をレセプタクルコネクタ２００から引き抜くとき、ラッチ機構９０６の操作力が大きくなり、操作性が悪くなるという問題が生じるおそれがある。
【００１３】
この発明はこのような事情に鑑みてなされたもので、その課題は、相手側コネクタとの嵌合状態を解除する方向の予期せぬ外力がコネクタに作用したとき、その嵌合状態を解除しにくくするとともに、意図的に相手側コネクタとの嵌合状態を解除するときには、コネクタを相手側コネクタから小さな操作力で離脱させることができるようにすることである。
【課題を解決するための手段】
【００１４】
上述の課題を解決するため請求項１に記載の発明は、弾性ロック部を有する相手側コネクタに嵌合可能なコネクタ本体と、前記コネクタ本体にコネクタ嵌合方向及びコネクタ離脱方向に沿って移動可能に装着され、前記相手側コネクタとの嵌合状態を解除するロック解除部材と、を備え、前記コネクタ本体は、前記弾性ロック部に引っ掛かり、前記相手側コネクタとの嵌合状態を維持する引掛部を有するコネクタであって、前記ロック解除部材は、前記弾性ロック部と前記引掛部との引っ掛かり状態を解除するための解除部と、前記コネクタ本体をスライドするスライド部と、を有し、前記コネクタ本体は、前記ロック解除部材が前記コネクタ離脱方向へ引かれたとき、前記スライド部をスライド可能に支持する支持部を有し、前記コネクタ本体の前記コネクタ嵌合方向前側から後側へ向かうにしたがって前記弾性ロック部に近づくように傾斜し、前記解除部が前記弾性ロック部に向かって変位するように前記スライド部を案内して、前記弾性ロック部と前記引掛部との引っ掛かり状態を解除させるガイド面が、前記支持部と前記スライド部との少なくとも一方に形成されていることを特徴とする。  
【００１５】
請求項２に記載の発明は、請求項１に記載のコネクタにおいて、前記支持部は、前記解除部に対して前記コネクタ嵌合方向後側に位置し、前記ロック解除部材は、前記支持部を前記弾性ロック部に向かって逃がす孔を有し、前記スライド部は、前記コネクタ嵌合方向において前記解除部と前記孔との間に位置することを特徴とする。  
【００１６】
請求項３に記載の発明は、請求項１又は２に記載のコネクタにおいて、前記コネクタ本体は、ハウジングと、前記ハウジングの少なくとも一部を覆うシェルと、を有し、前記シェルは、前記弾性ロック部を受け容れる開口部を有し、  前記シェルの前記開口部の周縁部が前記引掛部であることを特徴とする。  
【００１７】
請求項４に記載の発明は、請求項３に記載のコネクタにおいて、前記シェルは、前記開口部に対して前記コネクタ嵌合方向後側から前側へ延び、前記ロック解除部材が前記コネクタ離脱方向へ引かれたとき、前記解除部に押されて弾性変形し、前記弾性ロック部を前記シェルから押し出す片持ち梁状のばね片を有することを特徴とする。  
【００１８】
請求項５に記載の発明は、請求項３又は４に記載のコネクタにおいて、前記コネクタ本体は、前記ロック解除部材を前記ハウジングに前記コネクタ嵌合方向及び前記コネクタ離脱方向に沿って移動可能に保持するロック解除部材保持部を有することを特徴とする。  
【００１９】
請求項６に記載の発明は、請求項１〜５のいずれか１項に記載のコネクタにおいて、前記コネクタ本体は、前記支持部に対して前記コネクタ嵌合方向後側に位置し、前記コネクタ嵌合方向及び前記コネクタ離脱方向に沿った前記ロック解除部材の移動を規制する規制部を有し、前記ロック解除部材は、前記スライド部に対して前記コネクタ嵌合方向後側に位置し、前記規制部を受け容れる規制部受容部を有することを特徴とする。  
【００２０】
請求項７に記載の発明は、請求項１〜６のいずれか１項に記載のコネクタにおいて、前記ガイド面は平面であることを特徴とする。
【発明の効果】
【００２１】
この発明は、相手側コネクタとの嵌合状態を解除する方向の予期せぬ外力がコネクタに作用したとき、その嵌合状態を解除しにくくするとともに、意図的に相手側コネクタとの嵌合状態を解除するときには、コネクタを相手側コネクタから小さな操作力で離脱させることができる。
【図面の簡単な説明】
【００２２】
【図１】この発明の一実施形態に係るコネクタと相手側コネクタとの斜視図である。
【図２】図１に示すコネクタの分解斜視図である。
【図３】図１に示すコネクタの部分拡大図である。
【図４】図３のIV−IV線に沿う断面図である。
【図５】図１に示すコネクタからシェルを外した状態を示す斜視図である。
【図６】図５のVI−VI線に沿う断面図である。
【図７】図１に示すコネクタと相手側コネクタとの嵌合状態を示す部分拡大断面図である。相手側コネクタについてはシェルだけが示され、シェル以外は省略されている。
【図８】ロック解除部材がコネクタ離脱方向へ引かれて弾性ロック部と引掛部との引っ掛かり状態が解除された状態を示す断面図である。
【図９】この発明の一実施形態の変形例に係るコネクタの斜視図である。
【図１０】この発明の他の実施形態に係るコネクタの斜視図である。
【図１１】図１０に示すコネクタからシェルを外した状態を示す斜視図である。
【図１２】図１０のX−X線に沿う断面図である。
【図１３】従来の電気コネクタアッセンブリの斜視図であり、その電気コネクタアッセンブリからシールディング部材を外した状態を示す図である。
【図１４】図１３に示す電気コネクタアッセンブリのラッチ機構の斜視図である。
【図１５】図１３に示す電気コネクタアッセンブリをレセプタクルコネクタに嵌合した状態を示す部分拡大断面図である。
【発明を実施するための形態】
【００２３】
以下この発明の実施の形態を図面に基づいて説明する。
【００２４】
まず図１〜図８に基づいてこの発明の一実施形態に係るコネクタ１を説明する。
【００２５】
コネクタ１は、図１及び図７に示すように、プリント基板４に実装された相手側コネクタ２に嵌合可能である。コネクタ１はケーブル３に接続されている。
【００２６】
コネクタ１は、相手側コネクタ２に嵌合可能なコネクタ本体１０（図１参照）と、相手側コネクタ２との嵌合状態を解除するロック解除部材２０とを備えている。
【００２７】
コネクタ本体１０は、図１に示すように、ハウジング１１と、ハウジング１１の先端部を覆うシェル１２と、ロック解除部材２０をハウジング１１にコネクタ嵌合方向ＤＩ及びコネクタ離脱方向ＤＳに沿って移動可能に保持するロック解除部材保持部１３と、ハウジング１１に支持されるプリント基板１４とを有する。
【００２８】
図２に示すように、ハウジング１１は上側ハウジング分割体１１Ａと下側ハウジング分割体１１Ｂとで構成されている。上側ハウジング分割体１１Ａと下側ハウジング分割体１１Ｂとはそれぞれ金属製であるので、電磁シールド機能が働く。
【００２９】
上側ハウジング分割体１１Ａは、上壁部１１１と一対の側壁部１１２とケーブル支持部１１３と支持部１１４と規制部１１５とを有している。上壁部１１１上にはロック解除部材２０の解除部本体２０Ａが配置され、解除部本体２０Ａは一対の側壁部１１２にスライド可能に挟まれる（図５参照）。
【００３０】
支持部１１４と規制部１１５とはそれぞれ上壁部１１１に形成されている。支持部１１４と規制部１１５とは、ロック解除部材２０の後述する孔２０３，２０４を通って上方へそれぞれ突出する（図６、図７参照）。規制部１１５は、支持部１１４に対してコネクタ嵌合方向後側に位置している。初期状態（ロック解除部材２０をコネクタ離脱方向ＤＳへ引く前の状態）において、支持部１１４は、ロック解除部材２０の後述する解除部２０１に対してコネクタ嵌合方向後側に位置する（図４〜図７参照）。
【００３１】
支持部１１４は、ロック解除部材２０がコネクタ離脱方向ＤＳへ引かれたとき、ロック解除部材２０の後述するスライド部２０２（図５〜図８参照）をスライド可能に支持する。規制部１１５は、ロック解除部材２０のコネクタ離脱方向ＤＳの移動を規制し、シェル１２の後述するばね片１２２の過度な変形を抑制するとともに、ロック解除部材２０のコネクタ嵌合方向ＤＩの移動を規制し、ロック解除部材２０の変形、破損を防ぐ。
【００３２】
支持部１１４には、コネクタ嵌合方向前側から後側へ向かうにしたがって弾性ロック部２１Ａに近づくように傾斜し、解除部２０１が弾性ロック部２１Ａに向かって変位するようにスライド部２０２を案内して、弾性ロック部２１Ａと引掛部１２３との引っ掛かり状態を解除させるガイド面１１４Ａが、形成されている（図７、図８参照）。
【００３３】
下側ハウジング分割体１１Ｂは、図２に示すように、下壁部１１６と一対の側壁部１１７とケーブル支持部１１８と一対の突起部１１９とを有している。一対の突起部１１９はそれぞれ一対の側壁部１１７から外方へ突出している。図２、図３、図５等には一対の突起部１１９の一方の突起部１１９だけが現れている。
【００３４】
ロック解除部材保持部１３は弾性金属板をＵ字形に折り曲げてなる（図２参照）。ロック解除部材保持部１３は、下側ハウジング分割体１１Ｂの一対の突起部１１９を受け容れる一対の孔１３１を有する。一対の孔１３１はロック解除部材保持部１３の両端部に位置する。上側ハウジング分割体１１Ａと下側ハウジング分割体１１Ｂとを合わせた状態で、ロック解除部材保持部１３を装着すると、ロック解除部材保持部１３の一対の孔１３１が、下側ハウジング分割体１１Ｂの一対の突起部１１９を受け容れるので、上側ハウジング分割体１１Ａと下側ハウジング分割体１１Ｂとが結合される。また、ロック解除部材保持部１３はロック解除部材２０のコネクタ嵌合方向ＤＩ及びコネクタ離脱方向ＤＳ以外の方向の移動を規制するので、ロック解除部材２０の動作が安定する。
【００３５】
プリント基板１４には図示しない複数の導電路が形成されている。各導電路の一端部にはケーブル３の図示しない内部導体が半田付けされる。プリント基板１４は、上側ハウジング分割体１１Ａと下側ハウジング分割体１１Ｂとで挟まれる。
【００３６】
シェル１２は弾性金属板を角筒状に折り曲げてなる（図２参照）。シェル１２は、弾性ロック部２１Ａを受け容れる開口部１２１（図３、図４参照）と、ロック解除部材２０がコネクタ離脱方向ＤＳへ引かれたとき、ロック解除部材２０の解除部２０１に押されて弾性変形し、弾性ロック部２１Ａをシェル１２から押し出す片持ち梁状のばね片１２２と、弾性ロック部２１Ａに引っ掛かり、相手側コネクタ２との嵌合状態を維持する引掛部１２３とを有する。
【００３７】
ばね片１２２は、開口部１２１に対してコネクタ嵌合方向後側から前側へ延びる。シェル１２の開口部１２１の周縁部が引掛部１２３である。ばね片１２２には、支持部１１４の先端部を弾性ロック部２１Ａに向かって逃がす孔１２２Ａが形成されている（図３、図７参照）。
【００３８】
コネクタ１を相手側コネクタ２に嵌合したとき、ばね片１２２の自由端部は相手側コネクタ２の弾性ロック部２１Ａとロック解除部材２０の解除部２０１との間に位置する（図７参照）ので、ロック解除部材２０をコネクタ離脱方向ＤＳへ引くとき、ばね片１２２の、解除部２０１からの力が加わる位置（力点）が、ばね片１２２の固定端（支点）から遠くなる。したがって、ロック解除部材２０の操作力の増加を抑制することができる。
【００３９】
ロック解除部材２０は、図２に示すように、解除部材本体２０Ａと操作部２０Ｂとを有する。解除部材本体２０Ａは弾性金属板をほぼクランク状に折り曲げてなる。操作部２０Ｂは樹脂製である。操作部２０Ｂは解除部材本体２０Ａの一端に連結されている。ロック解除部材２０が解除部材本体２０Ａと操作部２０Ｂとで構成され、操作部２０Ｂが解除部材本体２０Ａより撓みやすいので、ロック解除部材２０の操作性が向上する。
【００４０】
解除部材本体２０Ａは、図６、図７に示すように、相手側コネクタ２の弾性ロック部２１Ａとシェル１２の引掛部１２３との引っ掛かり状態を解除するための解除部２０１と、コネクタ本体１０のハウジング１１をスライドするスライド部２０２とを有する。解除部２０１は、スライド部２０２に対してコネクタ嵌合方向前側に位置する。
【００４１】
解除部材本体２０Ａには、支持部１１４を弾性ロック部２１Ａに向かって逃がす孔２０３と、規制部１１５を受け容れる孔（規制部受容部）２０４とが形成されている。孔２０３は、スライド部２０２に対してコネクタ嵌合方向後側に位置する。
【００４２】
次に、コネクタ１の組立について説明する。
【００４３】
まず、ケーブル３が半田付けされたプリント基板１４を下側ハウジング分割体１１Ｂの所定位置に置くとともに、ケーブル３の図示しない外被を下側ハウジング分割体１１Ｂのケーブル支持部１１８に置く。
【００４４】
次に、下側ハウジング分割体１１Ｂに上側ハウジング分割体１１Ａを被せる。
【００４５】
その後、上側ハウジング分割体１１Ａ上にロック解除部材２０の解除部材本体２０Ａを配置する。このとき、解除部材本体２０Ａの孔２０３，２０４にそれぞれ支持部１１４と規制部１１５とを通す。
【００４６】
最後に、上側ハウジング分割体１１Ａと下側ハウジング分割体１１Ｂとにロック解除部材保持部１３とシェル１２とを装着する。その結果、上側ハウジング分割体１１Ａと下側ハウジング分割体１１Ｂとが結合され、ロック解除部材２０がハウジング１１に移動可能に保持される。
【００４７】
以上の作業工程を経てコネクタ１の組立が完了する。
【００４８】
次に、相手側コネクタ２に対するコネクタ１の嵌合と離脱とについて説明する。
【００４９】
コネクタ１を相手側コネクタ２に嵌合すると、図７に示すように、コネクタ１のシェル１２の開口部１２１に相手側コネクタ２の弾性ロック部２１Ａの先端部が入り込む。このときシェル１２の引掛部１２３と弾性ロック部２１Ａの先端部とがコネクタ嵌合方向ＤＩで対向する。したがって、コネクタ１にコネクタ離脱方向ＤＳの予期せぬ外力が作用したとしても、引掛部１２３が弾性ロック部２１Ａの先端部に引っ掛かるので、コネクタ１と相手側コネクタ２とのロック状態が維持される。引掛部１２３が弾性ロック部２１Ａの先端部に引っ掛かったとき、引掛部１２３と弾性ロック部２１Ａの先端部との接触面積は広いので、コネクタ１と相手側コネクタ２とのロック状態が容易に解除されず、そのロック状態は確実に維持される。
【００５０】
コネクタ１を相手側コネクタ２から離脱させるには、ロック解除部材２０の操作部２０Ｂをコネクタ離脱方向ＤＳへ引っ張ればよい。ロック解除部材２０がコネクタ離脱方向ＤＳへ引っ張られると、図８に示すように、ロック解除部材２０のスライド部２０２がハウジング１１の支持部１１４のガイド面１１４Ａ上をスライドし、解除部２０１が弾性ロック部２１Ａに向かって変位するとともに、ばね片１２２が弾性変形して、解除部２０１がばね片１２２を介して弾性ロック部２１Ａをシェル１２の外へ押し出す。その結果、弾性ロック部２１Ａと引掛部１２３との引っ掛かり状態が解除され、コネクタ１は相手側コネクタ２から引き抜かれる。
【００５１】
上述のような構成であるため、コネクタ１にコネクタ離脱方向ＤＳの予期せぬ外力が作用したとき、コネクタ１と相手側コネクタ２とのロック状態は容易に解除されない。また、支持部１１４のガイド面１１４Ａの傾斜角度（ガイド面１１４Ａとコネクタ嵌合方向ＤＩとのなす角度）は任意に設定できるためガイド面１１４Ａの傾斜角度を小さくすることが可能であり、意図的にコネクタ１を相手側コネクタ２から離脱させるとき、ロック解除部材２０の操作力が大きくならない。その結果、コネクタ１を相手側コネクタ２から離脱させる作業が容易になる。
【００５２】
コネクタ１を相手側コネクタ２から引き抜いた後、ロック解除部材２０はばね片１２２の復帰力によってもとの位置に戻る。
【００５３】
なお、ロック解除部材２０をコネクタ離脱方向ＤＳへ引っ張ったとき、ロック解除部材２０の解除部材本体２０Ａの孔２０４の内周面が規制部１１５に当たるので、コネクタ本体１０に対するロック解除部材２０のコネクタ離脱方向ＤＳへの所定量以上の移動が規制される。また、ロック解除部材２０はばね片１２２の復帰力によってもとの位置に戻るときには、ロック解除部材２０の解除部材本体２０Ａの孔２０４の内周面が規制部１１５に当たるので、コネクタ本体１０に対するロック解除部材２０のコネクタ嵌合方向ＤＩへの所定量以上の移動が規制される。
【００５４】
この実施形態は、コネクタ離脱方向ＤＳの予期せぬ外力がコネクタ１に作用したとき、その嵌合状態を解除しにくくするとともに、意図的に相手側コネクタ２との嵌合状態を解除するときには、コネクタ１を相手側コネクタ２から小さな操作力で離脱させることができる。
【００５５】
また、コネクタ１を相手側コネクタ２に嵌合したときばね片１２２の自由端部は相手側コネクタ２の弾性ロック部２１Ａとロック解除部材２０の解除部２０１との間に位置するので、ロック解除部材２０をコネクタ離脱方向ＤＳへ引くとき、ばね片１２２の、解除部２０１からの力が加わる位置（力点）が、ばね片１２２の固定端（支点）から遠くなるため、ロック解除部材２０の操作力は小さくなる。
【００５６】
更に、ハウジング１１とシェル１２とが別部材であり、それぞれに異なる材料を使用できるので、コネクタ本体１０の先端部の形状や大きさを容易に変更することができる。
【００５７】
また、孔２０３の周縁部をスライド部２０２としたので、例えば解除部材本体２０Ａから突出する突出片（図示せず）をガイド部として採用したときに比べ、ロック解除部材２０の厚さを薄くすることができる。
【００５８】
次に、図１に示す実施形態の変形例を図９に基づいて説明する。
【００５９】
図１に示す実施形態との共通部分については同一符号を付してその説明を省略する。以下、図１に示す実施形態との主な相違部分についてだけ説明する。
【００６０】
図１に示す実施形態に係るコネクタ１は、コネクタ本体１０とロック解除部材２０とを備え、コネクタ本体１０が１つのシェル１２と１つのプリント基板１４とを有し、ロック解除部材２０が１つの解除部材本体２０Ａを有している。
【００６１】
これに対し、図９に示す変形例に係るコネクタ１００は、コネクタ本体１０が２つのシェル１２と２つのプリント基板１４とを有し、ロック解除部材２０が２つの解除部材本体２０Ａを有している。図９に示す変形例に係るコネクタ１００は、図１に示す実施形態に係るコネクタ１を２つ連結したものとほぼ同等の機能を有する。したがって、この変形例に係るコネクタ１００は、多くの内部導体を有するケーブル用のコネクタとして使用可能である。
【００６２】
なお、シェル１２とプリント基板１４と解除部材本体２０Ａとは３つ以上でもよい。
【００６３】
図９に示す変形例は、図１に示す実施形態と同様の作用効果を奏する。
【００６４】
次にこの発明の他の実施形態に係るコネクタ２００を図１０〜図１２に基づいて説明する。
【００６５】
図１に示す実施形態との共通部分については同一符号を付してその説明を省略する。以下、図１に示す実施形態との主な相違部分についてだけ説明する。
【００６６】
この実施形態と図１に示す実施形態との相違点は、次のとおりである。
【００６７】
この実施形態に係るコネクタ２００では、コネクタ２００を相手側コネクタ２から引き抜いた後にロック解除部材２０をもとに戻すばね片２１２２が、シェル２１２に形成されておらず、ロック解除部材保持部２１３に形成されている。
【００６８】
また、ガイド面２１１４Ａを有する支持部２１１４が、一対の側壁部１１２のコネクタ嵌合方向前側に形成されている。ロック解除部材２０の解除部材本体２２０Ａには、規制部１１５を受け容れる孔（規制部受容部）２０４が形成されているが、支持部２１１４を逃がす孔は形成されていない。スライド部２２０２は解除部２０１の両側（コネクタ嵌合方向ＤＩの左右）に位置する。
【００６９】
ロック解除部材２０の解除部材本体２２０Ａには、ロック解除部材保持部２１３のばね片２１２２を上壁部１１１側へ受け容れる孔２０５が形成されているとともに、ロック解除部材２０の操作部２０Ｂをコネクタ離脱方向ＤＳへ引いたときロック解除部材保持部２１３のばね片２１２２に接触する突出片２１２３が形成されている。
【００７０】
コネクタ２００を相手側コネクタ２から引き抜いた後、ロック解除部材２０はばね片２１２２の復帰力によってもとの位置に戻る。
【００７１】
図１０に示す実施形態は、図１に示す実施形態と同様の作用効果を奏する。
【００７２】
なお、上述の実施形態では、弾性ロック部２１Ａと引掛部１２３との引っ掛かり状態を解除させるためのガイド面１１４Ａ，２１１４Ａを、支持部１１４，２１１４に形成したが、そのガイド面１１４Ａ，２１１４Ａをスライド部２０２，２２０２に形成してもよいし、支持部１１４，２１１４とスライド部２０２，２２０２との両方に形成してもよい。
【００７３】
また、上述の実施形態では、ガイド面１１４Ａ，２１１４Ａはほぼ平面であるが、ガイド面１１４Ａ，２１１４Ａは平面に限られず、例えば曲面（凸面、凹面、円筒面等）でもよい。
【００７４】
なお、ハウジング１１、シェル１２，２１２、ロック解除部材保持部１３，２１３、ロック解除部材２０の解除部材本体２０Ａ，２２０Ａ等はいずれも金属製であるが、それらを樹脂で形成してもよい。
【００７５】
また、ロック解除部材２０の操作部２０Ｂは樹脂製であるが、操作部２０Ｂを金属で形成してもよい。
【００７６】
なお、上述の実施形態では、シェル１２はばね片１２２を有するが、ばね片１２２は必ずしも用いるべき要素ではない。ばね片２１２２も同様である。上述の実施形態では、引掛部１２３をシェル１２、２１２に設けたが、シェル１２、２１２を用いないで、引掛部をハウジングに直接に設けてもよい。
【符号の説明】
【００７７】
１，１００，２００：コネクタ
１０：コネクタ本体
１１：ハウジング
１１Ａ：上側ハウジング分割体
１１１：上壁部
１１２：側壁部
１１３：ケーブル支持部
１１４，２１１４：支持部
１１４Ａ，２１１４Ａ：ガイド面
１１５：規制部
１１Ｂ：下側ハウジング分割体
１１６：下壁部
１１７：側壁部
１１８：ケーブル支持部
１１９：突起部
１２，２１２：シェル
１２１：開口部
１２２，２１２２：ばね片
１２２Ａ：孔
１２３：引掛部
１３，２１３：ロック解除部材保持部
１３１：孔
１４：プリント基板
２０：ロック解除部材
２０Ａ，２２０Ａ：解除部材本体
２０Ｂ：操作部
２０１：解除部
２０２，２２０２：スライド部
２０３：孔
２０４：孔（規制部受容部）
２０５：孔
２１２３：突出片
２：相手側コネクタ
２１Ａ：弾性ロック部
３：ケーブル
４：プリント基板
ＤＩ：コネクタ嵌合方向
ＤＳ：コネクタ離脱方向
【図１】
2019009024.tif 000003
【図２】
2019009024.tif 000004
【図３】
2019009024.tif 000005
【図４】
2019009024.tif 000006
【図５】
2019009024.tif 000007
【図６】
2019009024.tif 000008
【図７】
2019009024.tif 000009
【図８】
2019009024.tif 000010
【図９】
2019009024.tif 000011
【図１０】
2019009024.tif 000012
【図１１】
2019009024.tif 000013
【図１２】
2019009024.tif 000014
【図１３】
2019009024.tif 000015
【図１４】
2019009024.tif 000016
【図１５】
2019009024.tif 000017